(57)【要約】【課題】複数の制御装置およびシーン制御装置に対して同時に制御要求することができる操作装置と、複数の制御装置およびシーン制御装置の状態監視ができる監視表示装置および両方の機能を備えた操作監視表示装置を提供する。【解決手段】制御対象負荷を制御するために操作される操作部１０と、オン／オフ制御要求送信手段とシーン再生要求送信手段とを備えた通信部１１と、オン／オフパターンデータとシーン再生データとを組み合わせて制御データとして保存した記憶部１２と、操作部１０が操作されたときに、制御データにもとづいて、通信部１１を介して、パターン制御装置２およびシーン制御装置３に対して制御信号を送出させるようにした信号処理部１３とを備える。【選択図】図１
2004147121.tif 000002
【特許請求の範囲】
【請求項１】
制御対象負荷を制御するオン／オフパターン制御装置およびシーン制御装置を、通信線を介して接続される操作装置であって、
上記制御対象負荷を制御するために操作される操作部と、
オン／オフ制御要求送信手段とシーン再生要求送信手段とを備えた通信部と、オン／オフパターンデータとシーン再生データとを組み合わせて制御データとして保存した記憶部と、
上記操作部が操作されたときに、上記制御データにもとづいて、上記通信部を介して、パターン制御装置およびシーン制御装置に対して制御信号を送出させるようにした信号処理部とを備えた操作装置。
【請求項２】
請求項１において、
上記制御データは、上記制御対象装置の対象アドレスと、オン／オフデータと、シーン再生データとを含んでいることを特徴とする操作装置。
【請求項３】
請求項１または２において、
上記制御データは、上記操作部の複数の操作スイッチに対応して選択できるようにしたデータテーブルで構成されている操作装置。
【請求項４】
請求項１〜３のいずれかにおいて、
上記オン／オフパターン制御要求、シーン再生要求の一方または双方を有効とする機能モードを有している操作装置。
【請求項５】
請求項１〜４のいずれかにおいて、
操作部からの制御を禁止する操作禁止手段をさらに備えている操作装置。
【請求項６】
請求項１〜５のいずれかにおいて、
上記制御データの登録、更新、削除を可能とする設定手段をさらに有している操作装置。
【請求項７】
制御対象負荷を制御するオン／オフパターン制御装置およびシーン制御装置を、通信線を介して接続される監視表示装置であって、
オン／オフ状態入力手段とシーン再生状態入力手段とを備えた通信部と、
オン／オフパターンデータとシーンデータとを組み合わせて複数の状態確認データとして保存した記憶部と、
上記通信部を介して、オン／オフ状態とシーン再生状態が入力されたときに、入力された状態を上記複数の状態確認データを用いて照合処理し、照合結果を表示部に表示させるようにした信号処理部とを備えた監視表示装置。
【請求項８】
請求項７において、
オン／オフ状態、シーン再生状態の一方または双方を照合対象として、有効とする機能モードを有している監視表示装置。
【請求項９】
請求項７または８において、
上記通信部は、照合結果出力手段をさらに有し、上記照合結果を上記表示部に表示するか、上記照合結果出力手段より送出するかの一方または双方を有効とする表示出力モードデータを有している監視表示装置。
【請求項１０】
請求項７〜９のいずれかにおいて、
上記複数の状態確認データの登録、更新、削除を可能とする設定手段をさらに有している監視表示装置。
【請求項１１】
請求項１〜６のいずれかに記載の操作装置と請求項７〜１０のいずれかに記載の監視表示装置とを組み合わせて構成されたこと特徴とする操作監視表示装置。
【請求項１２】
制御対象負荷を制御するオン／オフパターン制御装置およびシーン制御装置と、請求項１〜６のいずれかに記載の操作装置と、請求項７〜１０のいずれかに記載の監視表示装置とを組み合わせて構成されたこと特徴とする監視制御システム。
【請求項１３】
制御対象負荷を制御するオン／オフパターン制御装置およびシーン制御装置と、請求項１１に記載の操作監視表示装置とで構成されたことを特徴とする監視制御システム。
【発明の詳細な説明】
【０００１】
【発明の属する技術分野】
本発明は、機器制御を行うための操作装置、監視表示装置、操作監視表示装置及びこれらを備えた監視制御システムに関する。
【０００２】
【従来の技術】
従来から、ビルなどの建物において、操作装置や監視装置を用い、操作や監視情報に基づいて機器を制御する監視制御システムが知られている。例えば、動力機器において、遠隔操作により他の装置からその機器に対する運転要求信号が、監視装置に入ったときに、その機器の運転を開始させたり、異常発熱などの警報信号が監視ユニットに入ったときに、その機器を緊急停止させるシステムがある。また照明機器において、壁に取り付けられた操作装置のスイッチが押される毎に、照明を点灯又は消灯させるシステムがある。
【０００３】
また、これらの制御において、１回の操作、または１つの監視情報の変化によって複数の負荷を制御する装置や、シーン再生要求により負荷制御を実施する装置もある。さらに、複数の制御装置からの負荷状態情報に基づいて、そのパターンの状態を照合して表示する装置や、各照明制御装置に登録されているシーン再生状態を表示する装置も知られており、操作装置と監視表示装置の機能を併せ持つ操作監視表示装置もある。
【０００４】
図１５は、従来の監視制御システムＳ’の一例を示している。
この従来の監視制御システムＳ’は、パターン制御用操作装置１００と、シーン制御用装置１０１と、パターン制御装置１０２と、シーン制御装置１０３と、パターン用監視表示装置１０７と、シーン制御用監視表示装置１０８よりなり、それらは通信線Ｌで結ばれ、二つのパターン制御装置２およびシーン制御装置３には、制御対象の負荷４、５および複数の負荷６が各々接続されている。
【０００５】
図１６（ａ）は、従来のパターン制御用の監視制御システムＳ’の動作チャートを示している。パターン用操作装置１００のスイッチが押下され、それを検知すると、パターンデータにより、オン／オフ制御要求信号（オン）を該当のアドレス（Ａ、Ｂ）の制御装置１０２へ送る。オン／オフ制御要求信号を受けた制御装置１０２は接続されている負荷１０４もしくは負荷１０５を制御（オン）する。オン／オフ制御要求信号を受けたパターン制御装置１０２は状態通知（オン）を監視表示装置１０７へ送る。状態通知を受けた監視表示装置１０７は、内部パターンデータによりパターン状態を照合し、結果をＬＥＤに表示させる。
【０００６】
一方、図１６（ｂ）は、従来のシーン制御用の監視制御システムＳ’の動作チャートを示しいる。シーン制御用操作装置１０１のスイッチが押下され、それを検知すると、シーン登録内容により、シーン再生要求（シーン１）をシーン制御装置１０３のアドレスＣへ送る。シーン再生要求に応じて接続されている複数の負荷１０６をオン／オフ制御（シーン１）する。シーン制御装置１０３は状態通知（シーン１）をシーン制御用監視表示装置１０８のアドレスｂへ送る。状態通知を受けたシーン制御用監視表示装置１０８は、内部シーンデータによりシーン１に該当するＬＥＤにシーン１の成立状態を表示させる。
【０００７】
下記特許文献１は、従来の監視制御システムが開示されている。
【０００８】
【特許文献１】
特開平２００２−９５０７０号公報
【発明が解決しようとする課題】
しかし、上記のような従来の監視制御システムＳ’では、複数の負荷を各々異なる状態に制御するパターン制御を行う場合と、シーン制御装置によるシーン再生制御を行う場合とで、制御要求を出す操作装置および制御装置からの状態通知により状態表示をする監視表示装置を各々用いる必要があった。
【０００９】
また、任意のエリア内に制御装置とシーン制御装置が混在する場合、それらに接続されている負荷を同時に制御したい場合には、複数の操作装置による制御動作を実施する必要があり、その状態確認をする場合にも、複数の監視表示装置を確認しなければならなかった。
【００１０】
さらに上記のように、複数の装置が一つの通信線に接続された場合、複数の装置に対して同時期に制御要求や状態通知の通信が発生し通信の過負荷状態による制御の遅延も発生する可能性が高くなるという問題もあった。
【００１１】
本発明は、このような事情を考慮してなされたものであり、直接複数の制御装置およびシーン制御装置に対して同時に制御要求を送ることができる操作装置と、直接複数の制御装置およびシーン制御装置の状態監視ができることを特徴とした監視表示装置およびこの両方の機能を備えた操作監視表示装置を提供することを目的としている。
【００１２】
【課題を解決するための手段】
上記目的を達成するために、本発明では、請求項１から６において操作装置を、請求項７から１０において監視装置を、請求項１１において操作監視表示装置を、請求項１２、１３においてこれらを備えた監視制御システムを各々提案している。
【００１３】
請求項１に記載の操作装置は、制御対象負荷を制御するオン／オフパターン制御装置およびシーン制御装置を通信線を介して接続した操作装置である。制御対象負荷を制御するために操作される操作部と、オン／オフ制御要求送信手段とシーン再生要求送信手段とを備えた通信部と、オン／オフパターンデータとシーン再生データとを組み合わせて制御データとして保存した記憶部と、操作部が操作されたときに、制御データにもとづいて、通信部を介して、パターン制御装置およびシーン制御装置に対して制御信号を送出させるようにした信号処理部とを備えており、オン／オフパターン制御とシーン制御との両方の制御が可能であることを特徴とする。
【００１４】
請求項２では、制御データは、制御対象アドレスと、オン／オフデータと、シーン再生データとを含んでいることを特徴とする。
【００１５】
請求項３では、制御データは、操作部の複数の操作スイッチに対応して選択できるようにしたデータテーブルで構成されていることを特徴とする。前記データテーブルは、種々の組み合わせ制御データを有しており、この制御データに基づきオン／オフパターン制御とシーン制御との両方の制御が可能となり、種々の組み合わせを作っておけば、操作スイッチを選択するだけで、いろいろなパターンの制御が実現できる。
【００１６】
請求項４では、オン／オフパターン制御要求、シーン再生要求の一方または双方を有効とする機能モードを有していることを特徴とする。すなわち、制御データはオン／オフパターン制御とシーン制御とそれぞれに対応して、有効、無効フラグなどを持つようにすれば、機能モードとしての役割を果たすことができる。
【００１７】
請求項５では、すべての制御を禁止する操作禁止手段をさらに備えていることを特徴とする。
【００１８】
請求項６では、制御データの登録、更新、削除を可能とする設定手段をさらに有していることを特徴とする。
【００１９】
請求項７に記載の監視表示装置は、制御対象負荷を制御するオン／オフパターン制御装置およびシーン制御装置を通信線を介して接続した監視表示装置である。オン／オフ状態入力手段とシーン再生状態入力手段とを備えた通信部と、オン／オフパターンデータとシーンデータとを組み合わせて複数の状態確認データとして保存した記憶部と、上記通信部を介して、オン／オフ状態とシーン再生状態が入力されたときに、入力された状態を上記複数の状態確認データを用いて照合処理し、照合結果を表示部に表示させるようにした信号処理部とを備えており、オン／オフパターン制御とシーン制御との両方の状態監視が可能であることを特徴とする。
【００２０】
請求項８では、オン／オフ状態、シーン再生状態の一方または双方を照合対象として、有効する機能モードを有していることを特徴とする。
【００２１】
請求項９では、通信部は、照合結果出力手段を持ち、入力されたオン／オフ状態とシーン再生状態の照合結果を表示することができ、照合結果を表示部に表示するか、照合結果出力手段より送出するかの一方または双方を有効とする表示出力モードデータを有していることを特徴とする。
【００２２】
請求項１０では、複数の状態確認データの登録、更新、削除を可能とする設定手段をさらに有していることを特徴とする。
【００２３】
請求項１１に記載の操作監視表示装置は、請求項１〜６のいずれかに記載の制御装置と請求項７〜１０のいずれかに記載の監視表示装置とを組み合わせて構成されたこと特徴とする。
【００２４】
請求項１２に記載の監視制御システムは、制御対象負荷を制御するオン／オフパターン制御装置およびシーン制御装置と、請求項１〜６のいずれかに記載の操作装置と、請求項７〜１０のいずれかに記載の監視表示装置とを組み合わせて構成されたこと特徴とする。
【００２５】
請求項１３に記載の監視制御システムは、制御対象負荷を制御するオン／オフパターン制御装置およびシーン制御装置と、請求項１２に記載の操作監視表示装置とで構成されたことを特徴とする。
【００２６】
【発明の実施の形態】
以下に本発明の実施の形態について添付図面とともに説明する。
【００２７】
図１は、本発明の監視制御システムの一例を示す図である。図２は、本発明の操作装置の内部構成の一例を示すブロック図である。
【００２８】
この監視制御システムＳは、操作装置１と二つのパターン制御装置２と、シーン制御装置３と、監視表示装置７とを含んで構成され、通信線Ｌで結ばれている。パターン制御装置２の各々およびシーン制御装置３には、制御対象の負荷４、５、および複数の負荷６が接続されている。
【００２９】
図２に示す操作装置１は、オン／オフパターン制御とシーン制御とをするために操作する複数の操作スイッチを備えた操作部１０と、通信線による通信を制御する通信部１１と、対象アドレスやオン／オフパターンデータとシーン再生データとを組み合わせた制御データを記憶する記憶部１２と、ＣＰＵなどで構成される信号処理部１３と、制御データの登録、更新、削除を可能とする設定手段１４とで構成される。記憶部１２には、対象アドレス、オン／オフパターンデータ、シーン再生データ等をデータ項目として含んだ制御データテーブルが記憶されており、データテーブルには、複数の制御データが登録されている。対象アドレスの数はさらに増加できる構成になっている。通信部１１には、オン／オフ制御要求送信手段とシーン再生要求送信手段とを備えている。この操作装置によれば、オン／オフパターン制御とシーン制御の両方が可能である。
【００３０】
図３は、図２に示す操作装置１の制御要求出力に用いる制御データテーブルの一例である。オン／オフパターン制御とシーン制御の両方の制御を可能とするため、オン／オフパターンデータおよびシーン再生データ、両方の制御データを組み合わせて記憶部１２に保存しておく。この図では、操作部１０に４つのスイッチがあるとした場合の例を示している。したがって、スイッチを増設し、種々の組み合わせを作っておけば、操作スイッチを選択するだけで種々パターンの制御が可能となる。
【００３１】
次に図２の操作装置２に機能モードデータと操作禁止手段を備えた操作装置を図４に示す。図５は、機能モードデータを備えた操作装置２における制御要求出力に用いる制御データテーブルの構築例である。機能モードデータは、スイッチ番号に対応してテーブルに記憶され、この機能モードの設定により、図２に示した操作装置２の機能や動作に加えてオン／オフ制御要求信号およびシーン再生要求信号に対して出力制限の設定をすることができる。たとえば、図５のスイッチ番号１を押下、検知した場合、パターン制御装置２のアドレスＡにオン、アドレスＢにオン、一方シーン制御装置３のアドレスＣにシーン１を各々出力するが、スイッチ番号４を押下、検知した場合は、パターン制御装置２のアドレスＡにオフ、アドレスＢにオンが出力されるが、シーン制御装置３のアドレスＣは制御無効の機能モードデータが設定されているため、シーン１は出力されない。このように機能モードデータを備えた場合、オン／オフパターン制御とシーン再生制御の制限が可能となるので、一時的に制御を無効にする設定をしていても、データが失われるわけではないので、再度制御を有効にする設定をする際には、データを再登録する必要が生じない。
【００３２】
また、図４の操作装置は、通信部１１に操作禁止手段を備えている。操作禁止要求を操作禁止要求入力部で受けた場合は、操作禁止解除要求を受けるまでは操作スイッチを操作しても働かないようにすることができる。このように操作禁止手段を備えていれば、通常時は実施しないようなシーン再生データを登録しておくことができる。たとえば、保守の時にのみ負荷を動作させたい場合、通常時は禁止状態にしておき、保守の時は禁止を解除しその負荷を動作させることができる。
【００３３】
なお、この操作禁止手段は、禁止釦を設け、この釦操作で禁止設定できるようにしてもよい。
【００３４】
図６は、本発明の監視表示装置の内部構成の一例を示すブロック図である。
図６に示す監視表示装置７は、複数のＬＥＤを備えた表示部２０と、通信線による通信を制御する通信部２１と、対象アドレスやオン／オフパターンデータとシーン再生データとを組み合わせて状態確認データを記憶する記憶部２２と、ＣＰＵなどで構成される信号処理部２３と、状態確認データの登録、更新、削除を可能とする設定手段２４で構成される。記憶部２２には、操作装置１と同様のデータテーブルが記憶されている。通信部２１には、オン／オフ状態入力手段とシーン再生状態入力手段とを備えている。この監視表示装置７によれば、オン／オフ状態とシーン再生状態の両方のシーン成立状態を照合し、表示部に照合結果を表示することが可能である。
【００３５】
図７は、図６に示す監視表示装置７の状態照合に用いる状態確認データテーブルの一例である。データベースは基本的に操作装置１と同じである。オン／オフ状態とシーン再生状態の両方のシーン成立状態を照合し、表示部に照合結果を表示することを可能とするため、両方のデータを組み合わせて記憶部２２に保存しておく。この図では、表示部が４つあるとした場合の例を示している。なお、表示部は４つに限られない。
【００３６】
次に図６の監視表示装置７に機能モードデータと照合結果出力手段と表示出力モードデータとを備えた監視表示装置７を図８に示す。図９は、機能モードデータを備えた監視表示装置７における状態照合に用いるデータテーブルの構築例である。機能モードデータは、表示番号に対応してテーブルに保存される。この機能モードデータの設定により図６に示した監視表示装置７の機能や動作に加えてオン／オフ状態およびシーン再生状態に対して照合処理の制限を設定をすることができる。たとえば、アドレスＡにオン、アドレスＢにオフ、一方アドレスＣがシーン１になっていることを受信した場合、通常はアドレスＣはシーン３でないと表示部番号３のＬＥＤは点灯しないところ、機能モードデータがシーン再生状態の監視無効と設定されているため、シーン再生番号がシーン１であっても、この場合表示部番号３に該当するＬＥＤが点灯し、シーンが成立していることを示す。このように機能モードデータを備えた場合、オン／オフ状態とシーン再生状態に対して照合処理の制限が可能となるので、一時的に監視を無効にする設定をしていても、データが失われるわけではないので、再度監視を有効にする設定をする際には、データを再登録する必要が生じない。
【００３７】
また、図８の監視表示装置７は、通信部２１に照合結果出力手段を備えている。これにより照合結果を他の装置に出力することができるので、他の装置との連動が可能となる。たとえば、中央監視装置などでシステム状態を集中管理したい場合でも、照合結果を他の装置に再度入力する必要がなくなる。また、この機能を禁止することもできるので、出力が不要の場合は停止させ、通信の過負荷を緩和することができる。
【００３８】
さらに、図８の監視表示装置７は、記憶部２２に表示出力モードデータを備えている。これにより、通信部２１の照合結果出力手段からの照合結果出力と、表示部２０での照合結果表示に対して照合結果の出力方法の選択ができる。図１０は、機能モードデータと表示出力モードとを備えた監視表示装置７における状態照合に用いるデータテーブルの構築例である。例えば、図１０の表示部番号１が成立しているという照合結果になった場合は、表示部番号１に該当するＬＥＤは点灯し、照合結果出力手段からはオンが出力されるが、図１０の表示部番号２が成立しているという照合結果になった場合は、表示部番号２に該当するＬＥＤは点灯するが、照合結果出力手段からオンは出力されない。このように、照合結果の出力方法の選択ができるため、不要な出力を停止することができ、省エネを図ることや機器の劣化防止になる。
【００３９】
図１１は、図１に記載の本発明の監視制御システムＳの動作チャートの一例である。操作装置１のスイッチ番号１が押下され、操作部１０が検知すると、記憶部１２に保存されている制御データ（オン／オフパターンデータおよびシーン再生データ）により、オン／オフ制御要求信号（図３によれば、オン／オフパターンデータはアドレスＡおよびアドレスＢのパターン制御装置２をオンにする信号）と、シーン再生要求信号（シーン再生データはアドレスＣのシーン制御装置３を再生番号１に基づきシーン制御する信号）と通信部１１が該当のアドレスのパターン制御装置２およびシーン制御装置３へ送る。オン／オフ制御要求信号（オン）を受けたパターン制御装置２は接続されている負荷４および負荷５をオン制御する。一方、シーン再生要求信号（シーン１）を受けたシーン制御装置３は接続されている複数の負荷６をオン／オフ制御する。パターン制御装置２およびシーン制御装置３には、予め監視表示装置７の対象アドレスを記憶している。オン／オフ制御要求信号を受けたパターン制御装置２は状態通知（オン）をアドレスＤの監視表示装置７へ送る。一方、シーン再生要求信号を受けたシーン制御装置３は状態通知（シーン１）をアドレスＤの監視表示装置７へ送る。オン／オフ状態通知とシーン再生状態通知を受けた監視表示装置７は、内部シーン登録内容により該当するＬＥＤにて成立状態であることを表示する。この場合図７によれば、表示部番号１が成立しているので、表示部番号１に該当するＬＥＤが点灯する。
【００４０】
この監視制御システムＳによれば、一つの操作装置１により、オン／オフパターン制御とシーン再生制御が同時に行われるので、装置台数、設置工数、設置場所およびそれらに対するコストが減らすことができる。また同時制御により、通信端末装置が過負荷になった場合でも一つの通信部内で発生するので、通信状態の確認、回避が容易となる。一方、この監視制御システムＳ１によれば、一つの監視表示装置７により、オン／オフ状態とシーン再生状態の両方のシーン成立状態を照合し、表示部２０に照合結果を表示することが可能となるので、装置台数、設置工数、設置場所およびそれらに対するコストが減らすことができる。また運用時の状態点検も一台の装置を確認すればよいので、無駄な作業を省くことができる。
【００４１】
図１２は、本発明の操作監視表示装置（不図示）の内部構成の一例を示すブロック図である。図１２に示す操作監視表示装置は、複数の操作スイッチを備え、オン／オフパターン制御とシーン制御とをするために操作する操作部３０と、複数のＬＥＤを備えた表示部３１と、通信線による通信を制御する通信部３２と、対象アドレスやオン／オフパターンデータとシーン再生データとを組み合わせた制御データを記憶する記憶部３３と、ＣＰＵなどで構成される信号処理部３４と、制御データの登録、更新、削除を可能とする設定手段３５とで構成される。記憶部２２には、予めパターン制御装置２とシーン制御装置３の対象アドレスＡ、Ｂ、Ｃが記憶されている。対象アドレスの数はさらに増加できる構成になっている。また記憶部２２には、オン／オフパターンデータおよびシーン再生データも記憶されている。さらに、記憶部は上述した機能をもつ機能モードデータや表示出力モードデータを備えていてもよい。ここでの機能モードデータは、制御要求の出力制限の設定と状態入力の照合処理制限の設定との両機能を備えている。通信部２１には、送信手段としてオン／オフ制御要求送信手段とシーン再生要求送信手段、入力手段としてオン／オフ状態入力手段とシーン再生状態入力手段とを備えている。この操作監視表示装置８によれば、オン／オフパターン制御とシーン制御の両方の制御ができ、またオン／オフ状態とシーン再生状態の両方の成立状態を照合し、表示部に照合結果を表示することが可能である。
【００４２】
図１３は、図１２に示す操作監視表示装置の制御／監視データテーブルの一例である。オン／オフパターン制御とシーン制御の両方の制御を可能とするため、オン／オフパターンデータおよびシーン再生データ、両方の制御データを組み合わせて記憶部に保存しておき、さらにオン／オフ状態とシーン再生状態の両方のシーン成立状態を照合し、表示部に照合結果を表示すること制御を可能とするため、両方のデータを組み合わせて記憶部に保存しておく。この制御データおよび状態確認データは登録はもちろん、更新、削除を可能とする設定手段を有している。この図では、操作部と表示部が４つあるとした場合の例を示している。なお、操作部および表示部は４つに限られない。
【００４３】
図１４は、図１２に示す操作監視表示装置を用いた監視制御システムの動作チャートの一例である。図１３の操作表示部番号１を操作したときの動作を以下説明する。操作監視表示装置８のスイッチ番号１が押下され、操作部３０が検知すると、記憶部３３に保存されている制御データ（オン／オフパターンデータおよびシーン再生データ）により、オン／オフ制御要求信号（オン／オフパターンデータはアドレスＡおよびアドレスＢのパターン制御装置２をオンにする信号）と、シーン再生要求信号（シーン再生データはアドレスＣのシーン制御装置３を再生番号１に基づきシーン制御する信号）と通信部が該当のアドレスのパターン制御装置２およびシーン制御装置３へ送る。オン／オフ制御要求信号（オン）を受けたパターン制御装置２は接続されている負荷４および負荷５をオン制御する。一方、シーン再生要求信号（シーン１）を受けたシーン制御装置３は接続されている複数の負荷６をオン／オフ制御する。パターン制御装置２およびシーン制御装置３には、予め操作監視表示装置８の対象アドレスＤを記憶している。オン／オフ制御要求信号を受けたパターン制御装置２は状態通知（オン）をアドレスＤの操作監視表示装置へ送る。一方、シーン再生要求信号を受けたシーン制御装置３は状態通知（シーン１）をアドレスＤの操作監視表示装置８へ送る。オン／オフ状態通知とシーン再生状態通知を受けた操作監視表示装置８は、内部シーン登録内容により該当するＬＥＤにて成立状態であることを表示する。この場合図１３によれば、操作表示部番号１が成立しているので、表示部番号１に該当するＬＥＤが点灯する。
【００４４】
操作監視表示装置８によれば、操作装置と監視表示装置が一つになることで、パターンとシーン再生の同時制御と同時照合ができるので、この機能に対する装置に関しては、装置台数や設置工数、設置場所およびそれらに対するコストを削減することができる。また、操作装置と監視表示装置のデータベースは同じなので、一つになるとデータ入力の手間が省ける。
【００４５】
【発明の効果】
請求項１から６に記載の操作装置によれば、オン／オフパターン制御とシーン制御の両方の制御ができるので、装置台数や設置工数、設置場所およびそれらに対するコストを削減することができる。また同時制御により通信が過負荷になっても、一つの信号処理部内で発生するため通信状態の確認やメンテナンスすることが容易となる。
【００４６】
請求項３に記載の操作装置によれば、制御データは、操作部の複数の操作スイッチに対応して選択できるようにしたデータテーブルで構成されているので、操作スイッチを選択するだけで種々の制御が可能となる。
【００４７】
請求項４に記載の操作装置によれば、機能モードデータを備えているので、オン／オフパターン制御とシーン再生制御の制限が可能となり、一時的に制御を無効にする設定をしていても、データが失われるわけではないので、再度制御を有効にする設定をする際には、データを再登録する必要が生じない。また、不要な処理および通信をなくすことができる。よって、端末交換時やシステムが稼動してない装置がある場合に有効である。
【００４８】
請求項５に記載の操作装置によれば、操作禁止手段を備えているので、通常時は実施しないようなシーン再生データを登録しておくことができる。たとえば、保守の時にのみ負荷を動作させたい場合、通常時は禁止状態にしておき、保守の時は禁止を解除しその負荷を動作させることができる。
【００４９】
請求項６に記載の操作装置によれば、制御データの登録、更新、削除を可能とする設定手段を有しているため、必要に応じたデータに書換ができる。
【００５０】
請求項７から１０に記載の監視表示装置によれば、オン／オフ状態とシーン再生状態の両方のシーン成立状態を照合し、表示部に照合結果を表示することができので、装置台数や設置工数、設置場所およびそれらに対するコストを削減することができる。運用時の状態確認も一台の装置を確認すればよいので無駄な作業を省くことができる。
【００５１】
請求項８に記載の監視表示装置によれば、機能モードデータを備えているので、オン／オフ状態とシーン再生状態に対して照合処理の制限が可能となる。よって、一時的に監視を無効にする設定をしていても、データが失われるわけではないので、再度監視を有効にする設定をする際には、データを再登録する必要が生じない。また、不要な処理および通信をなくすことができる。よって、端末交換時やシステムが稼動してない装置がある場合に有効である。
【００５２】
請求項９に記載の監視表示装置によれば、照合結果出力手段を備えているので、照合結果を他の装置に出力することができる。よって、他の装置との連動が可能となる。たとえば、中央監視装置などでシステム状態を集中管理したい場合でも、照合結果を他の装置に再度入力する必要がなくなる。また、この機能を禁止することもできるので、出力が不要の場合は停止させ、通信の過負荷を緩和することができる。さらに、表示出力モードデータを備えているので、通信部の照合結果出力手段からの照合結果出力と、表示部での照合結果表示に対して照合結果の出力方法の選択ができる。よって、不要な出力を停止することができ、省エネを図ることや機器の劣化防止になる。
【００５３】
請求項１０に記載の監視表示装置によれば、状態確認データの登録、更新、削除を可能とする設定手段を有しているため、必要に応じたデータに書換ができる。
【００５４】
請求項１１に記載の操作監視表示装置によれば、操作装置と監視表示装置が一つになるので、パターンとシーン再生の同時制御と同時照合ができるので、この機能に対する装置に関しては、装置台数や設置工数、設置場所およびそれらに対するコストを削減することができる。また、操作装置と監視表示装置のデータベースは同じなので、一つになるとデータ入力の手間が省けるまた、制御途中での照合処理による結果表示または出力のふらつきをなくすことができる。
【００５５】
請求項１２、１３に記載の監視制御システムによれば、上記の効果を発揮するシステムを提供することができる。
【図面の簡単な説明】
【図１】監視制御システムの構成の一例を示す図
【図２】操作装置の内部構成の一例を示すブロック図
【図３】操作装置の制御データテーブルの構築例
【図４】操作装置の内部構成の一例を示すブロック図
【図５】操作装置の制御データテーブルの構築例
【図６】監視表示装置の内部構成の一例を示すブロック図
【図７】監視表示装置の監視データテーブルの構築例
【図８】監視表示装置の内部構成の一例を示すブロック図
【図９】監視表示装置の監視データテーブルの構築例
【図１０】監視表示装置の監視データテーブルの構築例
【図１１】監視制御システムの動作チャートの一例
【図１２】操作監視表示装置の内部構成の一例を示すブロック図
【図１３】操作監視表示装置の制御／監視データテーブルの構築例
【図１４】操作監視表示装置による監視制御システムの動作チャートの一例
【図１５】従来の監視制御システムの構成の一例を示す図
【図１６】従来の監視制御システムの動作チャートの一例
【符号の説明】
Ｓ　監視制御システム
１　操作装置
２　制御装置
３　シーン制御装置
４，５，６　負荷
７　監視表示装置
【図１】
2004147121.tif 000003
【図２】
2004147121.tif 000004
【図３】
2004147121.tif 000005
【図４】
2004147121.tif 000006
【図５】
2004147121.tif 000007
【図６】
2004147121.tif 000008
【図７】
2004147121.tif 000009
【図８】
2004147121.tif 000010
【図９】
2004147121.tif 000011
【図１０】
2004147121.tif 000012
【図１１】
2004147121.tif 000013
【図１２】
2004147121.tif 000014
【図１３】
2004147121.tif 000015
【図１４】
2004147121.tif 000016
【図１５】
2004147121.tif 000017
【図１６】
2004147121.tif 000018